(57)【要約】  コイル状にすることができる電気ケーブル体は、ジャケット、第１のワイヤ・アセンブリ及び第２のワイヤ・アセンブリを含む。第１ワイヤ・アセンブリは第１のワイヤ・セットを少なくとも部分的に遮蔽する遮蔽導電体部材を含む。第１ワイヤ・セットは遮蔽導電体部材の内部に隣接して配置された１対の絶縁導電体、及び遮蔽導電体部材の内部に配置された接地導電体を含む。第２ワイヤ・アセンブリは第２のワイヤ・セットを少なくとも部分的に遮蔽する第１の遮蔽導電体部材を含む。第２ワイヤ・セットは第１遮蔽導電体部材の内部に隣接して配置された絶縁導電体の第２の対を含む。第２ワイヤ・アセンブリはドレイン導電体及び第１遮蔽導電体部材の周囲に第２の遮蔽導電体部材を含む。第１及び第２ワイヤ・アセンブリはジャケットの内部に配置される。
2009510693.tif 000002
【特許請求の範囲】
【請求項１】
電気ケーブル体であって、
数字８型の断面を有するジャケットと、
前記ジャケット内に配置された第１のワイヤ・アセンブリ及び第２のワイヤ・アセンブリと、
を含み、
前記第１ワイヤ・アセンブリの直径は前記第２ワイヤ・アセンブリの直径に実質的に等しく、
前記第１ワイヤ・アセンブリは、第１のワイヤ・セットを少なくとも部分的に遮蔽する遮蔽導電体部材を含み、
前記第１ワイヤ・セットは、前記遮蔽導電体部材の内部に隣接して配置された１対の絶縁導電体を含み、
前記第２ワイヤ・アセンブリは、第２のワイヤ・セットを少なくとも部分的に遮蔽する第１の遮蔽導電体部材を含み、
前記第２ワイヤ・セットは、
前記第１遮蔽導電体部材の内部に隣接して配置された絶縁導電体の第１の対と、
前記第１遮蔽導電体部材の内部に隣接して配置された絶縁導電体の第２の対と、
を含み、
前記第２ワイヤ・アセンブリ内の絶縁導電体の数は、前記第１ワイヤ・アセンブリ内の絶縁導電体の数の２倍であることを特徴とする、電気ケーブル体。
【請求項２】
前記第１ワイヤ・セットは、前記遮蔽導電体部材の内部に配置されたドレイン導電体をさらに含むことを特徴とする、請求項１に記載の電気ケーブル体。
【請求項３】
前記ジャケットは内側表面を有し、前記ジャケットは、該ジャケットの前記内側表面が前記第１及び第２ワイヤ・アセンブリを少なくとも部分的に被覆するように構成されることを特徴とする、請求項１に記載の電気ケーブル体。
【請求項４】
前記ジャケットは第１の内側表面及び第２の内側表面を有し、前記ジャケットは、前記第１内側表面が前記第１ワイヤ・アセンブリを少なくとも部分的に被覆し、前記第２内側表面が前記第２ワイヤ・アセンブリを少なくとも部分的に被覆するように構成されることを特徴とする、請求項１に記載の電気ケーブル体。
【請求項５】
前記第２ワイヤ・アセンブリは、
第２の遮蔽導電体部材と、
ドレイン導電体と、
をさらに含み、前記ドレイン導電体は前記第１遮蔽導電体部材の外部に配置され、前記第２遮蔽導電体部材は前記ドレイン導電体及び前記第１遮蔽導電体部材を少なくとも部分的に囲むことを特徴とする、請求項１に記載の電気ケーブル体。
【請求項６】
前記ジャケットは内側表面を有し、前記ジャケットは、該ジャケットの前記内側表面が前記第１及び第２ワイヤ・アセンブリを少なくとも部分的に被覆するように構成されることを特徴とする、請求項５に記載の電気ケーブル体。
【請求項７】
前記ジャケットは第１の内側表面及び第２の内側表面を有し、前記ジャケットは、前記第１内側表面が前記第１ワイヤ・アセンブリを少なくとも部分的に被覆し、前記第２内側表面が前記第２ワイヤ・アセンブリを少なくとも部分的に被覆するように構成されることを特徴とする、請求項５に記載の電気ケーブル体。
【請求項８】
前記ジャケットの前記内側表面は、前記ジャケット内に配置されたライナをさらに含み、前記第１及び第２ワイヤ・アセンブリに少なくとも部分的に接触することを特徴とする、請求項６に記載の電気ケーブル体。
【請求項９】
前記ジャケットは前記第１内側表面と前記第１ワイヤ・アセンブリの間に配置されたライナをさらに含み、前記第１ワイヤ・アセンブリに少なくとも部分的に接触することを特徴とする、請求項７に記載の電気ケーブル体。
【請求項１０】
前記ケーブルはユニバーサル・シリアル・バス（ＵＳＢ）用であることを特徴とする、請求項１に記載の電気ケーブル体。
【請求項１１】
前記ジャケットは約６．８５ｍｍから約７．１５ｍｍまでの範囲の外径を有することを特徴とする、請求項１に記載の電気ケーブル体。
【請求項１２】
前記ジャケットは約４．０５ｍｍから約４．３５ｍｍまでの範囲の外径寸法を有することを特徴とする、請求項１に記載の電気ケーブル体。
【請求項１３】
前記ジャケットは約８．１ｍｍから約８．７ｍｍまでの範囲の高さ寸法を有することを特徴とする、請求項１に記載の電気ケーブル体。
【請求項１４】
前記第１ワイヤ・アセンブリの前記絶縁導電体の対は２２ＡＷＧのスズめっき銅ワイヤを含むことを特徴とする、請求項１に記載の電気ケーブル体。
【請求項１５】
前記絶縁導電体の絶縁物の外径は約１．２５ｍｍから約１．３５ｍｍまでの範囲であることを特徴とする、請求項１に記載の電気ケーブル体。
【請求項１６】
前記第１ワイヤ・セットを少なくとも部分的に遮蔽する前記遮蔽導電体部材は、アルミニウム−ポリエステル基材を含むことを特徴とする、請求項１に記載の電気ケーブル体。
【請求項１７】
前記第１ワイヤ・セットを少なくとも部分的に遮蔽する前記遮蔽導電体部材の内部に配置されるドレイン導電体は、スズめっき銅ワイヤを含むことを特徴とする、請求項１に記載の電気ケーブル体。
【請求項１８】
前記第１遮蔽導電体部材はアルミニウム−ポリエステル基材を含むことを特徴とする、請求項１に記載の電気ケーブル体。
【請求項１９】
前記絶縁導電体の第１の対は２８ＡＷＧのスズめっき銅ワイヤを含むことを特徴とする、請求項１に記載の電気ケーブル体。
【請求項２０】
前記絶縁導電体の第２の対は２４ＡＷＧのスズめっき銅ワイヤを含むことを特徴とする、請求項１に記載の電気ケーブル体。
【請求項２１】
前記第２遮蔽導電体部材はスズめっき銅ワイヤの編組を含むことを特徴とする、請求項５に記載の電気ケーブル体。
【請求項２２】
前記編組は織り合わされた約１６個のバンドルを含む織目を有し、各々のバンドルは約８本のワイヤを含み、各々のワイヤの直径は約０．０８ｍｍであることを特徴とする、請求項２１に記載の電気ケーブル体。
【請求項２３】
前記ケーブルはユニバーサル・シリアル・バス（ＵＳＢ）用であることを特徴とする、請求項５に記載の電気ケーブル体。
【請求項２４】
電気ケーブル体であって、
数字８型の断面を有するジャケットと、
前記ジャケット内に配置された第１のワイヤ・アセンブリ及び第２のワイヤ・アセンブリと、
を含み、
前記第１ワイヤ・アセンブリの直径は前記第２ワイヤ・アセンブリの直径に実質的に等しく、
前記第１ワイヤ・アセンブリは、第１のワイヤ・セットを少なくとも部分的に遮蔽する遮蔽導電体部材を含み、
前記第１ワイヤ・セットは、前記遮蔽導電体部材の内部に隣接して配置された少なく
とも２つの絶縁導電体を含み、
前記第２ワイヤ・アセンブリは、第２のワイヤ・セットを含み、
前記第２ワイヤ・セットは、
前記第２ワイヤ・セットを少なくとも部分的に遮蔽する第１の遮蔽導電体部材と、
前記第１遮蔽導電体部材の内部に隣接して配置された絶縁導電体の第１の対と、
前記第１遮蔽導電体部材の内部に隣接して配置された絶縁導電体の第２の対と、
を含み、
前記ジャケットは内部表面を有し、前記ジャケットは、該ジャケットの前記内部表面が前記第１及び第２ワイヤ・アセンブリを少なくとも部分的に被覆するように構成されることを特徴とする、電気ケーブル体。
【請求項２５】
前記第１ワイヤ・セットは、前記遮蔽導電体部材の内部に配置されたドレイン導電体をさらに含むことを特徴とする、請求項２４に記載の電気ケーブル体。
【請求項２６】
前記第２ワイヤ・アセンブリは、
第２の遮蔽導電体部材と、
ドレイン導電体と、
をさらに含み、
前記ドレイン導電体は前記第１遮蔽導電体部材の外部に配置され、前記第２遮蔽導電体部材は、前記ドレイン導電体及び前記第１遮蔽導電体部材を少なくとも部分的に囲むことを特徴とする、請求項２４に記載の電気ケーフル体。
【請求項２７】
前記ジャケットの前記内側表面は、前記ジャケット内に配置されたライナをさらに含み、前記第１及び第２ワイヤ・アセンブリに少なくとも部分的に接触することを特徴とする、請求項２４に記載の電気ケーブル体。
【請求項２８】
前記ケーブル体はユニバーサル・シリアル・バス（ＵＳＢ）用であることを特徴とする、請求項２４に記載の電気ケーブル体。
【請求項２９】
電気ケーブル体であって、
数字８型の断面を有するジャケットと、
前記ジャケット内に配置された第１のワイヤ・アセンブリと第２のワイヤ・アセンブリと、
を含み、
前記第１ワイヤ・アセンブリの直径は前記第２ワイヤ・アセンブリの直径に実質的に等しく、
前記第１ワイヤ・アセンブリは、第１のワイヤ・セットを少なくとも部分的に遮蔽する遮蔽導電体部材を含み、
前記第１ワイヤ・セットは、前記遮蔽導電体部材の内部に隣接して配置された少なくとも２つの絶縁導電体を含み、
前記第２ワイヤ・アセンブリは、第２のワイヤ・セットを少なくとも部分的に遮蔽する第１の遮蔽導電体部材含み、
前記第２ワイヤ・セットは、
前記第１遮蔽導電体部材の内部に隣接して配置された絶縁導電体の第１の対と、
前記第１遮蔽導電体部材の内部に隣接して配置された絶縁導電体の第２の対と、
を含み、
前記ジャケットは第１の内部表面及び第２の内部表面を有し、前記ジャケットは、前記第１内部表面が前記第１ワイヤ・アセンブリを少なくとも部分的に被覆し、前記第２内部表面が前記第２ワイヤ・アセンブリを少なくとも部分的に被覆するように構成されることを特徴とする、電気ケーブル体。
【請求項３０】
前記第１ワイヤ・セットは、前記遮蔽導電体部材の内部に配置されたドレイン導電体をさらに含むことを特徴とする、請求項２９に記載の電気ケーブル体。
【請求項３１】
前記第２ワイヤ・アセンブリは、
第２の遮蔽導電体部材と、
ドレイン導電体と、
をさらに含み、
前記ドレイン導電体は前記第１遮蔽導電体部材の外部に配置され、前記第２遮蔽導電体部材は、前記ドレイン導電体及び前記第１遮蔽導電体部材を少なくとも部分的に囲むことを特徴とする、請求項２９に記載の電気ケーフル体。
【請求項３２】
前記ケーブルはユニバーサル・シリアル・バス（ＵＳＢ）用であることを特徴とする、請求項２９に記載の電気ケーブル体。
【請求項３３】
電気ケーブル体であって、
数字８型の断面を有し、かつ、少なくとも１つのポリマー材料を含むジャケットと、
ポリエステル材料を含み、かつ、第１のワイヤ・セットを少なくとも部分的に遮蔽する遮蔽導電体部材を含み、
前記第１ワイヤ・セットは前記遮蔽導電体部材の内部に隣接して配置された１対の絶縁導電体を含む、第１のワイヤ・アセンブリと、
ポリエステル材料を含み、かつ、第２のワイヤ・セットを少なくとも部分的に遮蔽する第１の遮蔽導電体部材を含み、
前記第２ワイヤ・セットは、
前記第１遮蔽導電体部材の内部に隣接して配置された絶縁導電体の第１の対と、
前記第１遮蔽導電体部材の内部に隣接して配置された絶縁導電体の第２の対と、
を含む、第２のワイヤ・アセンブリと、
を含む物理的配置体を含み、
前記物理的配置体は、前記ジャケット内に配置された少なくとも合成ポリマー充填材、及び前記遮蔽導電体部材、及び前記第１遮蔽導電体部材との組合せにより、高弾性特性を有する前記ケーブルをもたらすことを特徴とする、電気ケーブル体。
【請求項３４】
前記第１ワイヤ・アセンブリの直径は前記第２ワイヤ・アセンブリの直径に実質的に等しく、前記第２ワイヤ・アセンブリ内の絶縁導電体の数は、前記第１ワイヤ・アセンブリ内の絶縁導電体の数の２倍であることを特徴とする、請求項３３に記載の電気ケーブル体。
【請求項３５】
前記第２ワイヤ・アセンブリは第２の遮蔽導電体部材と、前記第１遮蔽導電体部材の外部に配置されたドレイン導電体とを含み、前記ドレイン導電体は前記第２ワイヤ・セットを少なくとも部分的に遮蔽し、前記第２遮蔽導電体部材は前記ドレイン導電体と前記第１遮蔽導電体部材を少なくとも部分的に囲むことを特徴とする、請求項３３に記載の電気ケーブル体。
【発明の詳細な説明】
【技術分野】
【０００１】
本発明はコイル状ケーブルに関し、特にＵＳＢ用のコイル状電子商品監視ケーブルに関する。
【背景技術】
【０００２】
自動収縮するコイル状ケーブルは、より清潔なより整頓された作業領域を造る。コイル状電子商品監視（ＥＡＳ）ケーブル、特にユニバーサル・シリアル・バス（ＵＳＢ）用途のものを作成することは、世界中の管理機関により要求される電磁放射及び耐干渉性に関する厳しい電磁遮蔽設計基準のために、多くの課題に直面する。従来技術における電気遮蔽設計基準を満足するコイル状ケーブルは、コイル収縮の低い有効寿命又は弾性を示す。
【発明の開示】
【０００３】
本開示は、ジャケット、第１のワイヤ・アセンブリ及び第２のワイヤ・アセンブリを含む電気ケーブル体に関する。第１ワイヤ・アセンブリは、第１ワイヤ・セットを少なくとも部分的に遮蔽する遮蔽導電体部材を含み、第１ワイヤ・セットは、遮蔽導電体部材の内部に隣接して配置された、一対の絶縁導電体を含む。第１ワイヤ・セットは、第１ワイヤ・セットを少なくとも部分的に遮蔽する遮蔽導電体材料の内部に配置されたドレイン導電体を含むことができる。
【０００４】
第２ワイヤ・アセンブリは、第２ワイヤ・セットを少なくとも部分的に遮蔽する第１の遮蔽導電体部材を含む。第２ワイヤ・セットは、第１遮蔽導電体部材の内部に隣接して配置される第１の対の絶縁導電体、及び第１遮蔽部材の内部に隣接して配置される第２の対の絶縁導電体を有する。第２ワイヤ・アセンブリは、第２の遮蔽導電体、及び第１遮蔽導電体の外部に配置されたドレイン導電体を含み、第２遮蔽導電体は第１遮蔽導電体を少なくとも部分的に囲む。第１ワイヤ・アセンブリ及び第２ワイヤ・アセンブリはジャケットの内部に配置される。開示されるアセンブリ及びそれらの構成要素は、厳しい電磁放射及び耐干渉性の要件を満たすことができると同時に、高レベルの機械的酷使に耐えるのに十分な耐久性を有する独特のケーブル体を創作する。開示される特定の形態に積層される材料の組合せは、このケーブル体に、典型的には剛性材料に見られる高レベルの電磁干渉（ＥＭＩ）遮蔽を、高弾性を有する形態において与えるので、物理的使用におけるそのケーブルの非常な長寿命を可能にする。
【０００５】
実施形態と考えられる主題は、本明細書の結論部分において詳しく指摘され明白に主張される。しかし、これらの実施形態は、構成及び実施方法の両方に対して、その目的、特徴、及び利点とともに、以下の詳細な説明を添付の図面と共に読みながら参照することによって最も良く理解することができる。
【発明を実施するための最良の形態】
【０００６】
本開示は以下に与える詳細な説明、及び本発明の特定の実施形態に関する添付の図面により十分に理解されることになるが、それらは本発明を特定の実施形態に限定するものではなく、説明を目的とするものであることを理解されたい。
【０００７】
本開示を組み入れたコイル状電子商品監視（ＥＡＳ）ユニバーサル・シリアル・バス（ＵＢＳ）ケーブルの多くの可能な実施形態の十分な理解を与えるために、多くの特定の細部をここで説明する。しかし、それら実施形態はこれらの特定細部を用いずに実施可能であることが当業者により理解されるであろう。他の例では、これら実施形態を不明瞭にしないために、周知の方法、手続き、構成要素及び回路は詳細には説明していない。本明細書で開示される特定の構造上及び機能上の詳細は典型的なものであり、必ずしも本実施形態の範囲を限定するものではないことを理解されたい。
【０００８】
幾つかの実施形態は、語句「結合された」及び「接続された」をそれらの派生語とともに用いて説明することがある。例えば、幾つかの実施形態は、２つ又はそれ以上の要素が相互に直接物理的又は電気的に接触していることを示すのに用語「接続された」を用いて説明することがある。別の例では、幾つかの実施形態は、２つ又はそれ以上の要素が直接物理的又は電気的に接触していることを示すのに用語「結合された」を用いて説明することがある。しかし、用語「結合された」は、２つ又はそれ以上の要素が相互に直接に接触しないが、なお相互に協働又は相互作用することを意味する場合もある。本明細書で開示される実施形態は、必ずしもこの文脈で限定はされない。
【０００９】
本明細書における「１つの実施形態」又は［一実施形態］に対する任意の言及は、実施形態に関連して説明される特定の特徴、構造体、又は特性が少なくとも１つの実施形態に含まれることを意味することに留意されたい。本明細書の種々の箇所における語句「１つの実施形態において」の出現は、必ずしも全てが同じ実施形態を指すわけではない。
【００１０】
ここで、本開示の詳細を見ると、図１Ａは、本開示の１つの実施形態によるコイル状ＥＡＳケーブル１００、又は本開示の別の実施形態によるコイル状ＥＡＳケーブル２００を含むＥＡＳシステム１０の１つの実施形態を示す。ＥＡＳシステム１０は、ケーブル１００又はケーブル２００の遠位端部１８におけるスキャナ又は撮像装置１２、及びホスト３０を含む。より具体的には、スキャナ又は撮像装置１２は、ＥＡＳ信号を送信及び受信するためのＥＡＳアンテナ（図示せず）を含むものであるが、コイル状ＥＡＳケーブル１００のケーブル体１０１又はコイル状ＥＡＳケーブル２００のケーブル体２０１に、コネクタ１４を介して、ケーブル体１０１又はケーブル体２０１の遠位端部１８において結合される。
【００１１】
図面において及び以下の説明において、用語「近接の」はホスト３０により近いケーブル１００又はケーブル２００の端部を指し、一方用語「遠位の」はホスト３０からより遠くにある端部を指すが、その理由はユーザは典型的にはホスト３０に位置するからであり、そのホスト３０は典型的には、それらに限定はされないが、ＵＳＢコネクタ２８を有する金銭登録器又は他の商品在庫管理デバイスを含む。
【００１２】
１つの実施形態において、典型的にはコネクタ１４は、張力緩和又は応力強化部材１６に結合されるか又はそれと一体化される。張力緩和部材１６はコネクタ１４によりスキャナ又は撮像装置１２に対して形成される接続の機械的耐久性を強化するゆえに設けられるが、その理由は、ユーザが典型的にはスキャナ又は撮像装置１２をＥＡＳケーブル１００又は２００の機能寿命の間に多数回操作するからである。
【００１３】
図２に示すように、ケーブル体１０１は第１のワイヤ・アセンブリ１１０及び第２のワイヤ・アセンブリ１４０を含み、各々のアセンブリは典型的には実質的に円筒型のジャケット１０２の内部に収容される。同様に図３に示すように、ケーブル体２０１は第１のワイヤ・アセンブリ１１０及び第２のワイヤ・アセンブリ１４０を含む。ケーブル体２０１は、典型的には数字８型の断面を有するジャケット２０２を含み、以下で詳述するように、第１ワイヤ・アセンブリ１１０及び第２ワイヤ・アセンブリ１４０は両方共にジャケット２０２内部に、しかし互いに離れて収容される。
【００１４】
再び図１Ａを参照すると、ケーブル１００の及びケーブル２００の近接端部２０はＹ型接合部２２に結合され、そこから第２ワイヤ・アセンブリ１４０が、典型的にはホスト関連信号を伝送するものであるが、ホスト・ケーブル体２４として出てくる。ホスト・ケーブル体２４はホスト関連信号を中継し、ホスト３０の近接端部２６に、典型的にはＵＳＢコネクタ２８を介して結合する。同様に、第１ワイヤ・アセンブリ１１０は、典型的にはＥＡＳ関連信号を伝送するものであるが、ケーブル１００を通して及びケーブル２００を通して、Ｙ型接合部からＥＡＳ関連信号を中継するＥＡＳ非活性化システム・ケーブル体３２として出てくる。ケーブル体３２は端部３４でＥＡＳ非活性化システム３６に結合し、このシステムがケーブル体３２及び第１ワイヤ・アセンブリを介してＥＡＳ関連信号をスキャナ又は撮像装置１２に対して送受信する。
【００１５】
従って、ケーブル１００又は２００は典型的には、コネクタ１４、張力緩和部材１６、それぞれケーブル体１０１又は２０１、Ｙ型接合部２２、ホスト・コネクタ２８まで延びるケーブル体２４、及びＹ型接合部２２からＥＡＳ非活性化システム３６まで延びるケーブル体３２を含む。ケーブル１００、２００は、スキャナ又は撮像装置１２からコイル状の形態で延びて、ユーザに便益を与える。
【００１６】
図１Ｂは、コイル状ＥＡＳケーブル１００’又はコイル状ＥＡＳケーブル２００’を含むＥＡＳシステム５０の１つの実施形態を示す。ＥＡＳシステムは、ケーブル１００’又はケーブル２００’の遠位端部１８におけるスキャナ又は撮像装置１２、及びホスト６０を含む。より具体的には、スキャナ又は撮像装置１２は、前述のようにＥＡＳ関連信号を送受信するためのアンテナ（図示せず）を含むものであり、ケーブル体１０１又はケーブル体２０１の遠位端部１８においてコネクタ１４を介して、コイル状ＥＡＳケーブル１００’のケーブル体１０１又はコイル状ＥＡＳケーブル２００’のケーブル体２０１に結合する。ＥＡＳシステム５０は、ケーブル体１０１及び２０１が近接端部６２において、特定のホスト６０と連結するように特別に構成され典型的にはＵＳＢコネクタではないコネクタ６４を介して、ホスト６０に直接接続されるという点でＥＡＳシステム１０とは異なる。Ｙ型接合部２２は典型的には省略される。ここでホスト６０は、典型的には、それらに限定はされないが、金銭登録器又は他の商品在庫管理部分を含み、またＥＡＳ非活性化部分の回路を含む一体化されたデバイスとなる。従って、第２ワイヤ・アセンブリ１４０（図２−３参照）はホスト関連信号を直接スキャナ又は撮像装置１２からホスト６０へ伝送し、一方第１ワイヤ・アセンブリ１１０（図２−３参照）はＥＡＳ関連信号を直接スキャナ又は撮像装置１２からホスト６０へ伝送する。
【００１７】
結果として、ケーブル１００’はコネクタ１４及びケーブル体１０１を含み、コイル状の形態でスキャナ又は撮像装置１２からコネクタ６２まで延びて、ユーザに便益を与える。同様に、ケーブル２００’はコネクタ１４及びケーブル体２０１を含み、やはりコイル状の形態でスキャナ又は撮像装置１２からコネクタ６４まで延びて、再びユーザに便益を与える。
【００１８】
図２は、本開示の１つの実施形態による、コイル状ＥＡＳ用ＵＳＢケーブル１００、１００’を形成するケーブル体１０１の断面図を示す。より具体的には、ケーブル体１０１は、内部表面１０４を有する実質的に円筒型のジャケット１０２を含む。ジャケット１０２は第１ワイヤ・アセンブリ１１０を含み、第１ワイヤ・アセンブリ１１０は第１ワイヤ・セット１１４を少なくとも部分的に遮蔽する遮蔽導電体部材１１２を含む。遮蔽導電体部材１１２は典型的には実質的に円筒型の形態を有する。
【００１９】
第１ワイヤ・セット１１４は、第１ワイヤ・セット１１４を少なくとも部分的に遮蔽する遮蔽導電体部材１１２の内部に隣接して配置される絶縁導電体１１８、１２０の対１１６と、第１ワイヤ・セット１１４を少なくとも部分的に遮蔽する遮蔽導電体部材１１２の内部に同じく配置されるドレイン・ライン又は導電体１２２と、を含む。絶縁導電体１１８、１２０の対１１６は典型的にはアンテナ導電体である。遮蔽導電体部材１１２の内部の残りの内部空間は、部材１１２の実質的に円形の断面をもたらすように充填材１２４で実質的に占められる。
【００２０】
ケーブル体１０１はまた第２のワイヤ・アセンブリ１４０を含み、この第２ワイヤ・アセンブリ１４０は第２のワイヤ・セット１４４を少なくとも部分的に遮蔽する第１の遮蔽導電体部材１４２を含む。典型的には、第１遮蔽導電体部材１４２は実質的に円筒型である。第２ワイヤ・セット１４４は、第２ワイヤ・セット１４４を少なくとも部分的に遮蔽する遮蔽導電体部材１４２の内部に隣接して配置された絶縁導電体１４８、１５０の第１の対１４６を含む。絶縁導電体１４８、１５０の第１の対１４６は、導電体の撚り合わせた単一の対とすることができる。
【００２１】
第２ワイヤ・セット１４４はまた、第１遮蔽導電体部材１４２の内部に隣接して配置された絶縁導電体１５４、１５６の第２の対１５２を含む。部材１４２の内部の残りの内部空間は、円筒型部材１４２の実質的に円形の断面をもたらすように充填材１２６で実質的に占められる。
【００２２】
図２に示す実施形態において、第１ワイヤ・アセンブリ１１０及び第２ワイヤ・アセンブリ１４０はジャケット１０２の内部に配置される。ジャケット１０２は内部表面１０４の上に配置されたジャケット・ライナ１０６を含むことができる。従って、ジャケット１０２は、内部表面１０４が、第１及び第２ワイヤ・アセンブリ１１０及び１４０をそれぞれ少なくとも部分的に被覆するように構成される。同様にライナ１０６は、第１及び第２ワイヤ・アセンブリ１１０及び１４０のそれぞれに少なくとも部分的に接触するようにジャケット内部に配置される。実質的に円筒型のジャケット１０２の内部の残りの内部空間は、ジャケット１０２の実質的に円形の断面をもたらすように充填材１２８で占められる。
【００２３】
１つの実施形態において、第２ワイヤ・アセンブリ１４０は第２の遮蔽導電体部材１５８及びドレイン・ライン又は導電体１６０を含む。ドレイン導電体１６０は第１遮蔽導電体部材１４２の外に配置されて第２ワイヤ・セット１４０を少なくとも部分的に遮蔽し、第２遮蔽導電体部材１５８はドレイン導電体及び第１遮蔽導電体部材１４２を少なくとも部分的に囲む。第２遮蔽導電体部材１５８は典型的には編組状であり典型的には実質的に円筒型である。実施形態はこの状況に限定はされない。
【００２４】
図３は、本開示による、コイル状ＥＡＳケーブル２００、２００’を形成するケーブル体２０１の断面の１つの実施形態を示す。より具体的には、ケーブル体２０１は、数字８型の断面を有するジャケット２０２を含む。ジャケット２０２は第１の内部表面２０４及び第２の内部表面２０６を有する。ジャケット２０２は、第１内部表面２０４が第１ワイヤ・アセンブリ１１０を少なくとも部分的に被覆し、第２内部表面２０６が第２ワイヤ・アセンブリ１４０を少なくとも部分的に被覆するように構成される。第２ワイヤ・アセンブリは典型的には第２遮蔽導電体部材１５８を含む。
【００２５】
図２と図３の両方を参照すると、ジャケット１０２及び２０２は、それに限定はされないが、熱可塑性エラストマ（ＴＰＥ）又はポリ塩化ビニル（ＰＶＣ）のようなポリマー材料を含む。図２に見られるように、ジャケット１０２は約７ｍｍの外径Ｗ１を有し、より具体的には、約６．８５ｍｍから約７．１５ｍｍまでの範囲の外径Ｗ１を有する。ジャケット・ライナ１０６は、それに限定はされないが、コットン紙を含む。充填材料１２８は典型的には、それに限定はされないが、綿糸から作られる。
【００２６】
図２Ａを参照すると、第１ワイヤ・アセンブリの絶縁導電体１１８、１２０の対１１６は典型的には、それに限定はされないが、２２ＡＷＧ（１０５ストランド／０．０５ｍｍ直径のワイヤ＋Ｎｏ．１のティンセル・ワイヤ）の細い銅ワイヤ１１８ａ、１２０ａを含む。絶縁物１１８ｂ、１２０ｂは典型的には、それに限定はされないが、ポリプロピレンなどのＴＰＥ材料を含み、約１．３ｍｍの外径d１、より具体的には、約１．２５ｍｍから約１．３５ｍｍまでの範囲の外径d１を有する。
【００２７】
充填材料１２４は典型的には、それに限定はされないが、ナイロン等の合成ポリマーを含む。遮蔽導電体部材１１２は典型的には、それに限定はされないが、アルミニウムポリエステルのシート又は基材を含み、ポリエステルは典型的には、それに限定はされないが、Ｍｙｌａｒ（登録商標）製のものである。１つの実施形態において、アルミニウム−Ｍｙｌａｒ（登録商標）シートは薄いアルミニウム・シート及び薄いＭｙｌａｒ（登録商標）シートから作ることができる。それら２つは互いに接合してアルミニウム−Ｍｙａｌａｒ（登録商標）シート又は基材を作る。遮蔽導電体部材１１２は各層を約２５％覆うアルミニウム・ラップ外装を含むことができる。ドレイン導電体１２２は典型的には、それに限定はされないが、２４＃（４５ストランド／０．０８ｍｍ直径＋Ｎｏ．１ティンセル・ワイヤ）のスズめっき銅ワイヤを含む。実施形態はこの状況に限定はされない。
【００２８】
さらに図２Ｂを参照すると、第２ワイヤ・アセンブリ１４０の絶縁導電体１４８、１５０の第１の対１４６は典型的には、それに限定はされないが、２８ＡＷＧ（４０ストランド／０．０５ｍｍ直径ワイヤ＋Ｎｏ．１ティンセル・ワイヤ）のスズめっき銅ワイヤ１４８ａ、１５０ａを含む。絶縁物１４８ｂ、１５０ｂは典型的には、それに限定はされないが、約０．９５ｍｍの外径ｄ２、より具体的には約０．９０ｍｍから約１．００ｍｍまでの範囲の外径ｄ２を有するポリプロピレンなどのＴＰＥ材料を含む。
【００２９】
さらに図２Ｃを参照すると、第２ワイヤ・アセンブリ１４０の絶縁導電体１５４、１５６の第２の対１５２は典型的には、それに限定はされないが、２４ＡＷＧ（４５ストランド／０．０８ｍｍ直径ワイヤ＋Ｎｏ．１ティンセル・ワイヤ）のスズめっき銅ワイヤ１５４ａ、１５６ａを含む。絶縁物１５４ｂ、１５６ｂは典型的には、それに限定はされないが、約１．００ｍｍの外径ｄ３、より具体的には約０．９５ｍｍから約１．０５ｍｍまでの範囲の外径ｄ３を有するポリプロピレンなどのＴＰＥ材料を含む。
【００３０】
充填材料１２６は典型的には、それに限定はされないが、ポリプロピレン・コードを含む。第１遮蔽導電体部材１４２は典型的には、それに限定はされないが、遮蔽導電体部材１１２に関して上述したアルミニウム−ポリエステルのシートを含む。遮蔽導電体部材１４２は各層を約２５％覆うアルミニウム・ラップ外装を含むことができる。接地導電体１６０は典型的には、それに限定はされないが、２４＃（４０ストランド／０．０５ｍｍ直径）のスズめっき銅ワイヤを含む。
【００３１】
第２遮蔽導電体部材１５８は典型的には、それに限定はされないが、銅ワイヤを用いた織目状の編組を含む。織目は典型的には、織り合わされた約１６個のバンドルを含み、各々のバンドルは典型的には約８本のワイヤを含み、各々のワイヤの直径は約０．０８ｍｍである。織目は第２ワイヤ・アセンブリ１４０の外面を少なくとも部分的に又は完全に覆い、典型的には第２ワイヤ・アセンブリ１４０の内部の全てのワイヤの最低９０％の被覆率をもたらす。
【００３２】
図３に見られるように、ケーブル体２０１は、約４．２ｍｍの数字８型断面の外径寸法Ｄ、より具体的には約４．０５ｍｍから４．３５ｍｍまでの範囲の寸法Ｄを有する。ケーブル体２０１は、約８．４ｍｍの数字８型断面の両端間寸法「Ｗ２」、より具体的には約８．１ｍｍから約８．７ｍｍまでの範囲の寸法Ｗ２を有する。ケーブル体２０１は数字８型断面の両端間から延びる軸Ｘ−Ｘの回りにコイル状にすることができる。ケーブル体２０１をコイル状にする方法は、電話コードをコイル状にする方法に類似する。
【００３３】
図４を参照すると、ケーブル体１０１、２０１は、典型的にはＲＪ４６型などのモジュラー・プラグ型であるコネクタ１４に接続される。より具体的には、ＥＡＳ／ＵＳＢケーブル体１０１，２０１から始まるワイヤ又は導電体１１８、１２０、１４８、１５０、１５４及び１５６は、プラグ・コネクタ１４内に終端をもつが、プラグ・コネクタ１４内に終端をもった他の機能を果たす他のワイヤ又は導電体が存在してもよい。実施形態はこの状況に限定はされない。プラグ・コネクタ１４内のワイヤ又は導電体１１８、１２０、１４８、１５０、１５４及び１５６のルート割当ては典型的には、それに限定はされないが、以下の表１に記載されるような指定パターンに従う。
【００３４】
表１
2009510693.tif 000003
【００３５】
１つの実施形態において、接地導電体１６０は、ドレイン導電体１５６がプラグ・コネクタ１４内のピンＰ３の終端に達する前に、ドレイン導電体１５６に電気的に接続することができる。第２の遮蔽導電体部材１５８は典型的にはドレイン導電体１５６に電気的に接続し、プラグ・コネクタ１４においては終端をもたない。
【００３６】
ＥＡＳ／ＵＳＢケーブル体ジャケット１０２、２０２は、典型的には２つの異なる型の前述のＴＰＥ材料を用いた２つの別々の成形プロセスを用いてコネクタ１４に固定される。第１の成形プロセスは、少量のＴＰＥ材料をプラグ・コネクタ１４の周囲に、張力緩和部材１６の予備成形物１６ａとして注入する。第２の成形プロセスは、大量のＴＰＥ材料を第２の成形材料１６ｂとして注入し、プラグ・コネクタ１４、予備成形物１６ａ及びケーブル体ジャケット１０２、２０２の周囲の張力緩和部材１６の大部分を形成する。成形プロセスの結果、耐久性の高いケーブル・アセンブリが得られる。張力緩和部材１６を有するＥＡＳ／ＵＳＢケーブル体１０１、１０２は加速寿命試験を完遂することにより試験する。
【００３７】
上記の開示の結果として、ケーブル１００及び２００は、世界中の管理機関により要求される電磁放射及び耐干渉性に関する厳しい電磁遮蔽要件を満たすＵＳＢケーブルとしての用途に適切なＥＡＳ用のコイル状ケーブルを提供し、同時に延長されたコイル収縮寿命及び弾性をもたらす。それぞれジャケット１０２及び２０２内の第１及び第２ワイヤ・アセンブリと指定材料との組合せの物理的配置及びサイズは、必要な遮蔽並びに延長されたコイル寿命及び弾性をもたらす。具体的には、第１ワイヤ・アセンブリ１１０は、第２ワイヤ・アセンブリにより伝送される電源及びＵＳＢ信号電流から遮蔽する必要のあるアンテナ信号電流を伝送する。より具体的には、開示された配置に積層される開示された材料の組合せは、普通は剛体材料によってのみ獲得可能な拡張された水準の電磁遮蔽を、伸縮性のコイル状にすることが可能な形態で生ずる。
【００３８】
本開示の幾つかの実施形態を図面に示したが、本開示をそれらに限定することは意図されておらず、本開示は当技術分野で可能な広い範囲を含むこと、及びその様に本明細書が理解されることが意図されている。従って、上記の説明は限定のためではなく、単に、例示的な実施形態の例証であると理解されたい。当業者は、添付の特許請求の趣旨及び範囲内で他の変更を構想するであろう。
【図面の簡単な説明】
【００３９】
【図１Ａ】本開示の一実施形態による、ＥＡＳシステムに結合したコイル状ＥＡＳケーブルの略図である。
【図１Ｂ】本開示の一実施形態による、ＥＡＳシステムに結合した図１Ａのコイル状ＥＡＳケーブルの略図である。
【図２】本開示の一実施形態による、図１Ａ及び図１Ｂの横断線２−２に沿って描かれた、コイル状ＥＡＳケーブルを形成するケーブル体の断面図である。
【図２Ａ】本開示による一対の絶縁導電体の詳細図である。
【図２Ｂ】本開示による別の一対の絶縁導電体の詳細図である。
【図２Ｃ】本開示によるさらに別の一対の絶縁導電体の詳細図である。
【図３】本開示の一実施形態による、図１Ａ及び図１Ｂの横断線３−３に沿って描かれた、コイル状ＥＡＳケーブルを形成するケーブル体の断面図である。
【図４】本開示の一実施形態による、端末終端コネクタに結合したコイル状ＥＡＳケーブルの略図である。
【図１Ａ】
2009510693.tif 000004
【図１Ｂ】
2009510693.tif 000005
【図２】
2009510693.tif 000006
【図２Ａ】
2009510693.tif 000007
【図２Ｂ】
2009510693.tif 000008
【図２Ｃ】
2009510693.tif 000009
【図３】
2009510693.tif 000010
【図４】
2009510693.tif 000011
【国際調査報告】
2009510693.tif 000012
2009510693.tif 000013
2009510693.tif 000014